(57)【要約】【課題】電子レンジ加熱調理用食品全体が覆われて衛生に保存でき、電子レンジによりマイクロ波照射時に食品から発生する蒸気を内部にこもらないようにし、食品全体を覆っている容器でありながら、電子レンジ加熱調理により食品に焼き目が付いてパリパリ感の食感が得られるようにする。【解決手段】外箱２の外箱上面板５に、下り傾斜方向に向けて凸の形状にしてスリット１３を設けて、外箱上面板５の曲がり傾斜面と面一にしてかつ跳ね起き可能な舌片１４を形成し、電子レンジ加熱調理時に電子レンジ加熱調理用食品４から噴出する蒸気が台紙３の被せ蓋部１５と受け皿部１６の側板部分１５ａ、１６ａの間における蒸気用通路２３を通り、胴部８内の圧力上昇により舌片１４が跳ね起きして蒸気抜きの隙間を開口して、胴部８内の蒸気が隙間を通る構成とした。【選択図】図２
2008127043.tif 000002
【特許請求の範囲】
【請求項１】
断面形状が上方に向けて凸に湾曲した樋状の外箱上面板と断面形状を下方に向けて凸に湾曲した樋状の外箱下面板とからなり、内部を電子レンジ加熱調理用食品の収容空間とする横長の胴部を備えて、前記外箱上面板の端部に連接されたフラップと外箱下面板の端部に連接されたフラップとの折り重ねにより前記胴部の端部それぞれが開閉可能に閉じられ、このフラップで閉じられた胴部端部の少なくとも一方が食品出し入れ口とされている外箱に、
電子レンジ加熱調理用食品を上方から覆う被せ蓋部と電子レンジ加熱調理用食品を乗せ置く受け皿部とが折り曲げ板部を介して連接されている台紙の前記被せ蓋部と受け皿部とに上下方向から挟み込まれている電子レンジ加熱調理用食品が収容されていて、
前記台紙の電子レンジ加熱調理用食品側となる面にマイクロ波の照射により発熱する発熱層が設けられている電子レンジ加熱調理用包装容器であって、
前記外箱の外箱上面板に、該外箱上面板の下り傾斜方向に向けて凸の形状にしてスリットを設けて、このスリットにより外箱上面板の曲がり傾斜面と面一にしてかつ跳ね起き可能な舌片が形成され、
前記台紙の受け皿部の外箱長手方向に沿っている側板部分それぞれに、外箱長手方向に沿う曲げ部を外箱長手方向に直交する方向に間隔を置いて複数設け、該曲げ部での折曲により受け皿部の側板部分を上方に向けて曲成して、受け皿部が外箱下面板の断面形状と対応するように断面形状を下方に向けて凸となる樋状とされ、台紙の被せ蓋部の外箱長手方向に沿っている側板部分それぞれに、外箱長手方向に沿う曲げ部を外箱長手方向に直交する方向に間隔を置いて複数設け、該曲げ部での折曲により被せ蓋部の側板部分を下方に向けて曲成して、被せ蓋部が外箱上面板の断面形状と対応するように断面形状を上方に向けて凸の樋状とされて、前記被せ蓋部の側板部分の複数の切欠きを備えた端辺が、受け皿部の側板部分の内面側に当接して、前記切欠きと受け皿部の側板部分との間に蒸気用通路が形成されていて、
電子レンジ加熱調理時に電子レンジ加熱調理用食品から噴出する蒸気が前記蒸気用通路を通り、胴部内の圧力上昇により前記舌片が跳ね起きして舌片が位置していた部分に蒸気抜きの隙間を開口して、胴部内の蒸気が前記隙間を通る構成としたことを特徴とする電子レンジ加熱調理用包装容器。
【請求項２】
上記台紙の曲げ部は、折り罫とミシン目と半切れ線とスリットとの何れから形成されている請求項１に記載の電子レンジ加熱調理用包装容器。
【請求項３】
上記台紙の受け皿部における食品出し入れ口側の端部に、倒し可能に起立して電子レンジ加熱調理用食品と相対している引き出し摘み片が連接されている請求項１または２に記載の電子レンジ加熱調理用包装容器。
【発明の詳細な説明】
【技術分野】
【０００１】
本発明は事前に調理されて保存されているパイ菓子などの食品を収容していて、電子レンジによるマイクロ波の照射により食品を加熱に際して、その食品に焼き目を付けたりパリパリとした食感を与えることのできる発熱層を備えた電子レンジ加熱調理用包装容器に関するものである。
【背景技術】
【０００２】
従来、事前に調理された食品であって電子レンジでのマイクロ波の照射により加熱して食することができるようにした食品を収容した包装容器として、食品を覆うようにしたスリーブの内面側にマイクロ波の照射を受けて発熱する発熱層（例えば金属蒸着からなる層）を設け、接した食品の表面を加熱して焼き目を付け、パリパリとした食感が得られるようにすることを目的とした包装容器が提案されている（特許文献１参照）。
【特許文献１】特開平０２−０９７８２６号公報
【発明の開示】
【発明が解決しようとする課題】
【０００３】
上発熱層を有したスリーブからなり内部に食品を収容する上述の包装容器において、食品が横長の板ブロック形状にして食べ易い大きさとされたパイ菓子などであるとき、スリーブ開放端側を除く食品周面に発熱層が比較的密に接していて、マイクロ波照射によって発熱した発熱層が食品表面を加熱するようになり、また、マイクロ波照射に食品から生じる蒸気はスリーブの開放端から排出されるようになる。
【０００４】
ところで、コンビニエンスストアなどにおいて電子レンジにて上記パイ菓子などを加熱調理して顧客に販売する場合、食品が事前に包装材料で包まれた形態となって店舗の冷蔵・冷凍庫などで保存でき、かつその状態で店舗に設置の電子レンジに入れて加熱調理できるようにすることが衛生管理上で望まれている。そのため、内面に発熱層を有する包装材料からなる容器で食品を包み込むような形態とすることが検討されていた。
しかし、店先にて加熱調理して店舗販売するパイ菓子などの電子レンジ加熱調理用食品に対して、上記包装材料で食品全体を包み込む容器を採用すると、電子レンジ加熱調理時に食品から生じる蒸気が容器内にこもり易く、適正時間でマイクロ波照射しても、食するときには食品表面の乾燥度合いが不足した状態となっていてパリパリとした食感が得られなくなるという不都合がある。
そこで本発明は上記事情に鑑み、電子レンジ加熱調理用食品全体が包装材料などで覆われて衛生に保存できるようにするとともに、電子レンジによりマイクロ波照射した際に食品から発生する蒸気を内部にこもらないように容器外に蒸気を逃がすことを課題とし、食品全体を覆っている容器でありながら、電子レンジ加熱調理により食品に焼き目が付いてパリパリ感の食感が得られる包装容器を提供することを目的とするものである。
【課題を解決するための手段】
【０００５】
本発明は上記課題を考慮してなされたもので、断面形状が上方に向けて凸に湾曲した樋状の外箱上面板と断面形状を下方に向けて凸に湾曲した樋状の外箱下面板とからなり、内部を電子レンジ加熱調理用食品の収容空間とする横長の胴部を備えて、前記外箱上面板の端部に連接されたフラップと外箱下面板の端部に連接されたフラップとの折り重ねにより前記胴部の端部それぞれが開閉可能に閉じられ、このフラップで閉じられた胴部端部の少なくとも一方が食品出し入れ口とされている外箱に、電子レンジ加熱調理用食品を上方から覆う被せ蓋部と電子レンジ加熱調理用食品を乗せ置く受け皿部とが折り曲げ板部を介して連接されている台紙の前記被せ蓋部と受け皿部とに上下方向から挟み込まれている電子レンジ加熱調理用食品が収容されていて、前記台紙の電子レンジ加熱調理用食品側となる面にマイクロ波の照射により発熱する発熱層が設けられている電子レンジ加熱調理用包装容器であって、前記外箱の外箱上面板に、該外箱上面板の下り傾斜方向に向けて凸の形状にしてスリットを設けて、このスリットにより外箱上面板の曲がり傾斜面と面一にしてかつ跳ね起き可能な舌片が形成され、前記台紙の受け皿部の外箱長手方向に沿っている側板部分それぞれに、外箱長手方向に沿う曲げ部を外箱長手方向に直交する方向に間隔を置いて複数設け、該曲げ部での折曲により受け皿部の側板部分を上方に向けて曲成して、受け皿部が外箱下面板の断面形状と対応するように断面形状を下方に向けて凸となる樋状とされ、台紙の被せ蓋部の外箱長手方向に沿っている側板部分それぞれに、外箱長手方向に沿う曲げ部を外箱長手方向に直交する方向に間隔を置いて複数設け、該曲げ部での折曲により被せ蓋部の側板部分を下方に向けて曲成して、被せ蓋部が外箱上面板の断面形状と対応するように断面形状を上方に向けて凸の樋状とされて、前記被せ蓋部の側板部分の複数の切欠きを備えた端辺が、受け皿部の側板部分の内面側に当接して、前記切欠きと受け皿部の側板部分との間に蒸気用通路が形成されていて、電子レンジ加熱調理時に電子レンジ加熱調理用食品から噴出する蒸気が前記蒸気用通路を通り、胴部内の圧力上昇により前記舌片が跳ね起きして舌片が位置していた部分に蒸気抜きの隙間を開口して、胴部内の蒸気が前記隙間を通る構成としたことを特徴とする電子レンジ加熱調理用包装容器を提供して、上記課題を解消するものである。
【０００６】
本発明において、上記台紙の曲げ部は、折り罫とミシン目と半切れ線とスリットとの何れから形成されているものとすることが可能である。
また、本発明において、上記台紙の受け皿部における食品出し入れ口側の端部に、倒し可能に起立して電子レンジ加熱調理用食品と相対している引き出し摘み片が連接されているものとすることが可能である。
【発明の効果】
【０００７】
請求項１の発明によれば、台紙の受け皿部と被せ蓋部とで上下から挟まれた電子レンジ加熱調理用食品の全体が外箱に覆われているため、衛生なものとなる。そして、電子レンジでのマイクロ波が電子レンジ加熱調理用食品に直接到達することでその食品自体が昇温し、台紙の発熱体にもマイクロ波が到達するのでその発熱体自体も発熱して、台紙が面している食品を加熱し、焼き目を入れるようになる。
台紙は電子レンジ加熱調理用食品を覆う被せ蓋部と前記食品を乗せ置く受け皿部とを折り曲げ板部で連接した簡易な形状であり、上述した内面側に発熱層を有するスリーブ形態のものとすることなく安価に製造できるようになる。即ち、片面側に発熱層を有する包装材料からスリーブを得る場合には、貼り合わせる部分が必要となるが、その貼り合わせ部分で二層の発熱層が密にして重なる状態となり、マイクロ波が照射されると発熱層が密に重なっている貼り合わせ部分が過熱し易く、食品の表面などを必要以上に加熱する不具合が生じる。しかしながら、本発明での台紙では貼り合わせ部分がない。即ち、発熱層が密に二重に重なる部分がなく、発熱層が適正に食品を加熱するようになる。
また、被せ蓋部と受け皿部とが共に樋状に設けられていて、被せ蓋部や受け皿部の側板部分によって食品の側面も加熱でき、その側板部分も複数の曲げ部での折曲により複数位置で曲がった形状となり、被せ蓋部や受け皿部の断面形状が食品を囲み込むに適した形状となり、これによってより一層、食品の側面部分に被せ蓋部や受け皿部の側板部分が近づき、側板部分の発熱層がより有効に食品の側面部分を加熱するようになる。
さらには、被せ蓋部の側板部分の複数の切欠きを備えた端辺が、受け皿部の側板部分の内面側に当接して、切欠きと受け皿部の側板部分との間に蒸気用通路が形成され、電子レンジ加熱調理時に電子レンジ加熱調理用食品から噴出する蒸気が蒸気用通路を通るようにしているので、加熱調理時に食品から蒸気が吹き出て、被せ蓋部の側面板部や受け皿部の側面板部を開く方向に当たることがあっても、前記蒸気用通路に蒸気が通るようになるため、その被せ蓋部の側面板部や受け皿部の側面板部と食品の側面との間が大きく広がるということがなく、これによっても食品の側面を適正に加熱できるようになる。
【０００８】
また、電子レンジ加熱調理用食品から生じる蒸気は台紙の被せ蓋部と受け皿部との間などを通り、外箱の内圧が上昇すると、外箱上面板のスリットにより切込み形成された舌片が持ち上げられてそのスリットの部分が開き、蒸気がスムーズに容器外に流れ出るようになる。そのため、台紙と前記食品との間で蒸気のこもりが生じず、食する際に食品の表面が乾燥した状態となっていてパリパリ感のある食感が得られるようになる。
また、外箱上面板のスリットの位置の舌片は、スリットの切込みにより形成されていることから、その舌片の端面が舌片周りの端面と係脱可能に係止した状態となっていて、電子レンジ加熱調理を行なう前では外箱上面板と面一となり、よってスリットの部分が開口せずに異物の混入を防止することができる。さらに、外箱の内部の蒸気によって内圧が上昇したときには容易に舌片が跳ね上がって開口が形成されるため、蒸気を抜くための構造が頗る簡単になり、蒸気抜き機構を有した外箱の製造コストを安価なものとすることができる。
【０００９】
請求項２の発明によれば、台紙の打ち抜き成形時に同時にその曲げ部を形成することができ、被せ蓋部と受け皿部とのそれぞれを樋状とするための手段を別途に用意する必要がなく、単に曲げ部それぞれに折り癖を付けるだけで樋状の被せ蓋部と受け皿部とが得られ、台紙の製造コストを引き上げることがない。
【００１０】
請求項３の発明によれば、上記台紙の受け皿部における食品出し入れ口側の端部に、倒し可能に起立して電子レンジ加熱調理用食品と相対している引き出し摘み片が連接されているので、電子レンジで加熱調理した後に外箱の食品出し入れ口を開いて、引き出し摘み片を摘み持って引き出すことで台紙とともに電子レンジ加熱調理用食品を簡単に引き出すことができる。また、外箱の内部にあるときには、前記引き出し摘み片が起立してその発熱層が食品側に相対しているので、加熱調理のときにこの引き出し摘み片の発熱層によっても食品を加熱することができ、発熱体としてこの引き出し摘み片を有効に利用できる。
【発明を実施するための最良の形態】
【００１１】
つぎに本発明を図１から図９に示す実施の形態に基づいて詳細に説明する。
図中１は電子レンジ加熱調理用包装容器で、図１と図２に示すように前記電子レンジ加熱調理用包装容器１は横長でその長手方向に直交する方向での断面形状において両端部が先細りし上面部分と下面部分とが湾曲した形状とされた外箱２に、台紙３により上下方向から挟み込まれていて横長の板ブロック状としたパイ菓子などの電子レンジ加熱調理用食品４を収容したものである。
外箱２は耐熱性のある紙素材から作製されていて、図５に示すように横長にした外箱上面板５の長手方向に沿っている一辺に折り部を介して同じく横長とした外箱下面板６が連接されていて、折り部から折って外箱上面板５と外箱下面板６とを対向させ、外箱上面板５の他方の辺に連接された糊代７を外箱下面板６に貼り合わされている。そして、外箱上面板５は断面形状が上方に向けて凸に湾曲した樋状とされているとともに、外箱下面板６は断面形状を下方に向けて凸に湾曲した樋状とされ、内部を電子レンジ加熱調理用食品の収容空間とする横長の胴部８を備えている。前記胴部８の両端それぞれは開閉可能に閉じられていて、外箱上面板５の端部に連接されたフラップ９と外箱下面板６の端部に連接されたフラップ１０との折り重ねにより胴部８の端部それぞれが開閉可能に閉じられ（図４参照）、このフラップ９、１０で閉じられた胴部端部の一方を食品出し入れ口Ａとしている。なお、前記フラップ９、１０は外箱上面板５と外箱下面板６とをそれぞれ樋状にしてその形状を維持するために、図示するように外箱上面板５と外箱下面板６とでそれぞれ長手方向で相対している弧状の折り部１１を介して連接され、この折り部１１からフラップ１０が折り上げられ、フラップ９は折り下げられてフラップ１０に重ねている。フラップ１０それぞれには折り上げられた状態から引き倒すための指掛け用切欠き１２が設けられている。
【００１２】
外箱２では上述したように長手方向に相対する両端部それぞれはフラップ９、１０の重ね合わせで共に開閉可能に閉じられているので、いずれも食品を出し入れするための機能を有するが、加熱された食品を外箱から引き出す場所を購入者に対して明確に表示することが好ましく、上述したように一方の端部側を食品出し入れ口Ａとし、図示していない表示、図柄などでその食品出し入れ口Ａを示すように設けられている。
【００１３】
上記外箱上面板５の頂部である長手方向に沿った中心線部分を間にしてその両側それぞれには長手方向に間隔を置いた複数のスリット１３が設けられている。前記スリット１３は外箱上面板５の紙素材を貫通していて、それぞれの形状は、外箱上面板５の長手方向と直交する方向であってその外箱上面板５の側端側である下り傾斜方向に向けて凸の円弧形状にし、外箱上面板５の中心線部分側の端部が外箱上面板５の長手方向に向けて屈曲している。
上記スリット１３を円弧形状とすることで、このスリット１３の位置において、先端を外箱上面板５の側端側に向けるとともに基端を外箱上面板５の中心線部分側とした舌片１４が設けられており、スリット１３を入れることで舌片１４が外箱上面板５を切り込んで形成されたものとなっている。
【００１４】
後述する電子レンジ加熱調理を行なう前の状態において、図３に示すように上記舌片１４それぞれは外箱上面板５の下り傾斜している曲がり傾斜面と面一となっている。この外箱上面板５のスリット１３の位置にある舌片１４は、上述したようにスリット１３の切込みにより形成され、舌片１４の端面が舌片周りの端面と係脱可能に係止した状態となっているからである。そして、外箱上面板５がその長手方向と直交する方向において湾曲しているため、舌片１４に対しても曲げの作用が働いていて、復元力を有した状態で舌片周りの端面と係脱可能に係止し、後述するように外箱の内部で蒸気の圧力が高くなり、舌片１４が内方から押されることがあると、簡単に跳ね上がってスリット１３の位置が開くようにしている（図８参照）。
【００１５】
台紙３は、図６に示すように電子レンジ加熱調理用食品４を上方から覆う被せ蓋部１５と電子レンジ加熱調理用食品４を乗せ置く受け皿部１６とが折り曲げ板部１７を介して連接され、前記受け皿部１６の折り曲げ板部１７とは反対側の辺に引き出し摘み片１８が連接されているものである。
そして、電子レンジ加熱調理用食品４を挟み込む台紙３においてその食品側となる面側に、マイクロ波の照射を受けて発熱する発熱層１９を備えていて、前記被せ蓋部１５の食品側の面、受け皿部１６の食品側の面、折り曲げ板部１７の食品側の面（前記被せ蓋部１５と受け皿部１６とで電子レンジ加熱調理用食品４を挟むようにすることでこの折り曲げ板部１７での発熱層１９も前記食品側に面するようになる）、引き出し摘み片１８の食品側の面それぞれに前記発熱層１９が位置している。なお、折り曲げ板部１７は、被せ蓋部１５と受け皿部１６とで電子レンジ加熱調理用食品４を挟むことで立ち起こされていて（図４参照）、この折り曲げ板部１７での発熱層１９も前記食品側に面するようになり、また引き出し摘み片１８も外箱２の内部では折り起こされていて、引き出し摘み片１８の発熱層１９も通常の状態では前記食品側に面するように設けられている（図４参照）。
【００１６】
電子レンジ加熱調理用食品４とともにこの電子レンジ加熱調理用食品４を上下から挟み込んで外箱２の上記商品出し入れ口Ａ側からその外箱２の胴部８内に入れる台紙３において、前記被せ蓋部１５と受け皿部１６とのそれぞれは、外箱２の長手方向に長い板ブロック状とした前記電子レンジ加熱調理用食品４を覆うようにして外箱２の長手方向を長手とした大きさのものとされ、電子レンジ加熱調理用食品４の胴部回り方向での周面を囲むことができるように、図３に示すように前記被せ蓋部１５は長手方向に直交する方向での断面において上方に向けて凸となる形状にして樋状に設けられており、また、受け皿部１６も長手方向に直交する方向での断面において下方に向けて凸となる形状にして樋状に形成されている。
このように被せ蓋部１５を樋状とするには、この被せ蓋部１５の外箱２の長手方向に沿っている側板部分１５ａそれぞれに、外箱２の長手方向に沿う曲げ部２０を外箱２の長手方向に直交する方向に間隔を置いて平行に複数設けていて、これらの曲げ部２０での折曲により前記側板部分１５ａを下方に向けて曲成していて、これによって外箱上面板５の断面形状と対応し、電子レンジ加熱調理用食品４を胴部８に収容したときに外箱上面板５の下にこの被せ蓋部１５が収まる。
また、同様に、受け皿部１６を樋状とするには、この受け皿部１６の外箱２の長手方向に沿っている側板部分１６ａそれぞれに、外箱２の長手方向に沿う曲げ部２０を外箱２の長手方向に直交する方向に間隔を置いて平行に複数設けている。そして、これらの曲げ部２０での折曲により側板部分１６ａを上方に向けて曲成している。これによって外箱下面板６の断面形状と対応して、電子レンジ加熱調理用食品４を胴部８に収容したときに外箱下面板６の上に受け皿部１６が収まる。
【００１７】
図示した実施の例において、被せ蓋部１５と受け皿部１６との側板部分の上記曲げ部２０は台紙３の打ち抜き成形時に同時に入れられる折り罫からなるものとしているが、曲げ部２０は折り罫に限定されるものではなく、ミシン目、半切れ線、スリットの何れから形成されているものであってもよい。曲げ部２０をスリットとする場合には長手方向に不連続とすればよい。特に被せ蓋部１５の側板部分１５ａでの曲げ部２０それぞれをスリットとすれば、後述するように電子レンジ加熱調理用食品４から出る蒸気をスリットからなる前記曲げ部２０を通して外箱上面板５側に流し易くなるため良好である。
【００１８】
台紙３の被せ蓋部１５と受け皿部１６とで電子レンジ加熱調理用食品４を胴部回りに囲む挟み付けに際して、上述したように被せ蓋部１５と受け皿部１６との側板部分１５ａ，１６ａが曲げられて電子レンジ加熱調理用食品４の側面に近付いており、曲げられた側板部分１５ａ，１６ａの発熱層１９のマイクロ波照射時の発熱によってもその電子レンジ加熱調理用食品４の側面が適切に加熱され、焼き目も付くようにしている。さらに、図３に示すように前記被せ蓋部１５の側板部分１５ａそれぞれは受け皿部１６の側縁部分の曲げ度合いより若干きつく曲がるように設定されていて、その側板部分１５ａの端辺２１は受け皿部１６の側板部分１６ａの内面に相対して当接して、より一層電子レンジ加熱調理用食品４の側面に近付くように設けられている。そして、前記側板部分１５ａの端辺２１に沿って間隔を置いて複数の弧状とした切欠き２２が設けられており、図７に示すようにこの切欠き２２と受け皿部１６の側板部分１６ａとの間に蒸気用通路２３を形成している。
このように側板部分１５ａの端辺２１と側板部分１６ａとの間に蒸気用通路２３を形成しているため、マイクロ波照射の加熱時に電子レンジ加熱調理用食品４の側面側から蒸気が強く吹き出るようなことがあってもその蒸気用通路２３を通して蒸気が外箱上面板５側に流れ出るようになり、側板部分１５ａ，１６ａが蒸気の圧力で電子レンジ加熱調理用食品４から離れるということを防止している。また、側板部分１５ａ，１６ａは相互に接着されるものではなく、単に当接する位置関係であるために、発熱層が二層にして密に重なり合うことはない。
【００１９】
上記構成の電子レンジ加熱調理用包装容器１を電子レンジに入れてマイクロ波照射すれば、マイクロ波が電子レンジ加熱調理用食品４に直接照射されることで加熱される。また、マイクロ波が台紙３の上記発熱層に照射されることでこの発熱層が発熱し、被せ蓋部１５、受け皿部１６、折り曲げ板部１７、引き出し摘み片１８それぞれからも加熱が行なわれ、電子レンジ加熱調理用食品４に焼き目を付ける。そして、電子レンジ加熱調理用食品４から生じる蒸気においては、商品出し入れ口側の部分では被せ蓋部１５と受け皿部１６との間の開放部分を通して、また、折り曲げ板部１７側でのその両脇の開放部分（折り曲げ板部１７は被せ蓋部１５や受け皿部１６より細く設けられていて、食品挟み込みの状態で折り曲げ板部１７の両脇は開放されている）を通して、そして、被せ蓋部１５と受け皿部１６との側板部分が相対する箇所では上述した蒸気用通路２３を通して、蒸気が外箱上面板５側に流れ出るようになる。
外箱２の胴部８内の圧力が蒸気の吹き出しによって高くなると、上記舌片１４が外箱２の内方から押されることとなり、図８に示すように舌片１４それぞれが跳ね上がってスリット１３の部分が開口し、この隙間２４から蒸気が容器外へと流れ出る。
このように電子レンジ加熱調理用食品４の近傍位置で蒸気が滞留することがないため、パリパリ感のある食感を有した食品となり、食するに際しては外箱２の食品取り出し口Ａを開き、台紙３の引き出し摘み片１８を摘み持って引き出せば、台紙３とともに加熱調理された電子レンジ加熱調理用食品４が引き出されるようになる。
【００２０】
上記実施の例においてスリット１３を円弧状としたが、本発明はこの例に限定されるものではなく、例えば、図９に示すようにスリット１３を略コ字状にして、舌片１４が短冊状となるようにすることも可能である。この場合も、外箱２の内部の圧力が上昇していないときには舌片１４が外箱上面板５の下り傾斜面の部分と面一となり、内部の圧力が高くなったときに跳ね上がって上記隙間を開口するようにしている。
【図面の簡単な説明】
【００２１】
【図１】本発明に係る電子レンジ加熱調理用包装容器の一例を示す説明図である。
【図２】一例における外箱及び台紙に挟まれる電子レンジ加熱調理用食品とを分離した状態で示す説明図である。
【図３】一例を長手方向に直交する方向の断面で示す説明図である。
【図４】一例をその中央を通る長手方向での断面で示す説明図である。
【図５】一例における外箱を展開した状態で示す説明図である。
【図６】一例における台紙を展開した状態で示す説明図である。
【図７】一例における蒸気用通路を示す説明図である。
【図８】一例での外箱上面板のスリットが開いた状態を示すもので、（ａ）は斜視の状態で示す説明図、（ｂ）は断面で示す説明図である。
【図９】他の例を示す説明図である。
【符号の説明】
【００２２】
１…電子レンジ加熱調理用包装容器
２…外箱
３…台紙
４…電子レンジ加熱調理用食品
５…外箱上面板
６…外箱下面板
８…胴部
１３…スリット
１４…舌片
１５…被せ蓋部
１５ａ…側板部分
１６…受け皿部
１６ａ…側板部分
１７…折り曲げ板部
１８…引き出し摘み片
１９…発熱層
２０…曲げ部
２２…切欠き
２３…蒸気用通路
２４…隙間
Ａ…食品出し入れ口
【図１】
2008127043.tif 000003
【図２】
2008127043.tif 000004
【図３】
2008127043.tif 000005
【図４】
2008127043.tif 000006
【図５】
2008127043.tif 000007
【図６】
2008127043.tif 000008
【図７】
2008127043.tif 000009
【図８】
2008127043.tif 000010
【図９】
2008127043.tif 000011